(57)【要約】      （修正有）【課題】使用者にとってかぶりやすく、適度の断熱効果を有し、頭皮を冷却する頭皮冷却装置のヘルメットのインナーキャップとして使用できる医療用帽子を提供する。【解決手段】医療用帽子１００は、人の頭部を覆うように形成された布帛体からなり、額を含む前頭部を覆う前頭部領域１１と、後頭部を覆う後頭部領域１２と、項を覆う項領域１３を備える本体１と、それに接続される左側頭部材と右側頭部材３とから構成され、本体に接続された左側頭部材、右側頭部材のそれぞれの部材は、後端にひれ状突出部３０を形成し、このひれ状突出部と項領域１３との間に切込みが形成されている。【選択図】図２
0003208753.tif 000002
【実用新案登録請求の範囲】
【請求項１】
人の頭部を覆うように形成された布帛体からなる医療用帽子であって、
額を含む前頭部を覆う前頭部領域と、後頭部を覆う後頭部領域と、項を覆う項領域を備える本体と、それに接続される左側頭部材と右側頭部材とから構成され、
前記本体に接続された前記左側頭部材、前記右側頭部材のそれぞれの部材は、後端にひれ状突出部を形成し、このひれ状突出部と前記項領域との間に切込みが形成されていることを特徴とする医療用帽子。
【請求項２】
前記本体は、前記前頭部領域の端部に取手を備えることを特徴とする請求項１に記載の医療用帽子。
【請求項３】
前記左側頭部材、前記右側頭部材の前記ひれ状突出部の裏地に面ファスナーが設けられ、切込みを挟んで対向する項領域の左右の表地に設けられた面ファスナーに着用者の頭部寸法に合わせて接続可能に形成されていることを特徴とする請求項１又は２に記載の医療用帽子。
【請求項４】
人の頭皮を冷却する頭皮冷却装置のヘルメットのインナーキャップとして用いられる請求項１ないし３のいずれかに記載の医療用帽子。
【考案の詳細な説明】
【技術分野】
【０００１】
本考案は、医療用帽子、特に頭皮を冷却する際に使用されるヘルメットのインナーキャップとして用いられる医療用帽子に関する。
【背景技術】
【０００２】
癌治療において用いられる化学療法では、脱毛を伴うことが多く、患者の心理的苦痛などＱＯＬを著しく低下させることが問題となっている。こうした脱毛は、頭皮を低温に維持して毛根が化学療法のための治療薬を吸収することを抑制することにより、防止又は抑制できることが知られている。このため、化学療法による脱毛を防止することを目的とした頭部冷却装置が提案されている（特許文献１を参照）。このような頭部冷却装置では、使用者の頭部に装着されるヘルメット形状部材の内部に冷却媒体流路を形成し、冷却媒体流路内に冷却媒体を流通させて頭皮と冷却媒体との熱交換により頭皮を冷却している。
【０００３】
使用者の頭部に装着されるヘルメット形状部材は、シリコーンゴムなどの合成樹脂から成形によって作製されることが多い。シリコーンゴムはある程度の柔軟性を有しているが、使用者の頭部の形状や大きさは様々であり、頭部全体にわたって密着させることは困難である。ヘルメット形状部材の内側表面は熱交換面として機能するので、使用者の頭皮とヘルメット形状部材の内側表面と頭皮との間に隙間が生じると、頭皮の一部がヘルメット形状部材の内側表面に接触しなくなり、頭皮の冷却が不均一になったり、冷却効率を低下させたりするという問題が生じる。このような隙間を減少させる方法として、使用者の頭部の形状や大きさに適合させやすくするために、キャップ形状部材と頭皮との間に柔軟性のある素材からなるインナー部材を装着することも考えられる。しかしながら、インナー部材は繊維や発泡体などの材料から作製されることが一般的であり、このような材料は断熱性を有することから、インナー部材の存在が熱伝導を妨げ、かえって冷却効率を低下させてしまうという問題が生じる。
【０００４】
そこで、本願出願人は、このような問題に鑑み、使用者の頭部を冷却するための冷却キャップの内側に装着されるインナーキャップであって、不織布によって形成された不織布層を含み、該不織布層が高吸水性樹脂繊維材料によって作製された吸水層であるインナーキャップを提案している（特許文献２）。
【先行技術文献】
【特許文献】
【０００５】
【特許文献１】特許第５１３３３５５号公報
【特許文献２】特開２０１５−１５８０２７号公報
【考案の概要】
【考案が解決しようとする課題】
【０００６】
上記の本願出願人が提示したインナーキャップは、優れた構造を備えているが、治験の結果、一部の使用者においてその頭皮が赤くなり、軽度の凍傷が散見された。すなわち、特許文献５に係るインナーキャップは頭皮に対して過冷却を惹起しているものと考えられる。そこで、本考案は、使用者にとってかぶりやすく、適度の断熱効果を有し、頭皮を冷却する頭皮冷却装置のヘルメットのインナーキャップとして使用できる医療用帽子を提案することを課題とする。
【課題を解決するための手段】
【０００７】
上記問題を解決するために、本考案の医療用帽子は、人の頭部を覆うように形成された布帛体からなる医療用帽子であって、額を含む前頭部を覆う前頭部領域と、後頭部を覆う後頭部領域と、項を覆う項領域を備える本体と、それに接続される左側頭部材と右側頭部材とから構成され、本体に接続された左側頭部材、右側頭部材のそれぞれの部材は、後端にひれ状突出部を形成し、このひれ状突出部と項領域との間に切込みが形成されていることを特徴とする。なお、本体は、前頭部領域の端部に取手を備えてもよい。また、左側頭部材、右側頭部材のひれ状突出部の裏地に面ファスナーが設けられ、切込みを挟んで対向する項領域の左右の表地に設けられた面ファスナーに着用者の頭部寸法に合わせて接続可能に形成されようにしてもよい。
【０００８】
本考案の医療用帽子は、人の頭皮を冷却する頭皮冷却装置のヘルメットのインナーキャップとして用いることができる。
【考案の効果】
【０００９】
この考案に係る医療用帽子は、サイズ調整により、又は数種類のサイズから選択することにより、頭部の大きさの異なる人に適応させることができ、安定した装着状態が得られる。また、不織布等を素材としているため、変質し難く、人体に対しても、痒みやかぶれを生じる恐れが少ない。また、医療用帽子は、洗濯して再使用をしてもよいし、使い捨てにしてもよい。
【図面の簡単な説明】
【００１０】
【図１】本考案に係る医療用帽子の展開図である。
【図２】本考案に係る医療用帽子の右側面図である。
【図３】本考案に係る医療用帽子の（ａ）は正面図、（ｂ） は背面図である。
【図４】本考案に係る医療用帽子を使用者が装着した状態を示す図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。図１は、本考案に係る医療用帽子の展開図である。図２は、本考案に係る医療用帽子の右側面図である。図３は、本考案に係る医療用帽子の（ａ）は正面図、（ｂ） は背面図である。図４は、本考案に係る医療用帽子を使用者が装着した状態を示す図である。図１ないし４に示すとおり、実施例１に係る医療用帽子１００は、概して、本体１と、左側頭部材２と、右側頭部材３とを備える。
【００１３】
図1を参照する。本体１は、前頭部領域１１と、後頭部領域１２と、項領域１３とからなる。本体１は、左側頭部材２とは縫製部分Ａ（一点鎖線で示している）で、右側頭部材３と縫製部分Ｂ（一点鎖線で示している）で縫い合わされ一体化される。なお、本体１と、左側頭部材２と、右側頭部材３との連結部は、縫製に限るものではない。左側頭部材２と右側頭部材３のそれぞれの部材は、後端にひれ状突出部２０、３０を形成し、このひれ状突出部２０、３０と項領域１３との間に切込みが形成されている。
【００１４】
図１に示すとおり、本体１は、前端、すなわち、前頭部領域１１の端部に取手４を取り付けてもよい。使用者は医療用帽子１００を着用して、頭皮冷却装置の冷却ヘルメットを装着した際に、取手４を引っ張ることにより、医療用帽子１００のずれを補正することができる。
【００１５】
なお、医療用帽子１００に用いる布帛体は、適度の断熱効果を有するものであればよい。すなわち、図１ないし４に示す医療用帽子１００の形状に加工できる素材であればよい。例えば、布帛体として、ポリエステル等化学繊維、綿、不織布、紙、その他の素材として絹や、薄い布のようなプラスチック等を選択することができる。
【００１６】
図２を参照する。図２は、本考案に係る医療用帽子１００の右側面図である。右側頭部材３は、上端で本体１に縫合されている。右側頭部材３は、後端にひれ状突出部３０を形成し、このひれ状突出部３０と項領域１３との間に切込みが形成されている。右側頭部材３の下側ラインは耳に被らないように凹湾曲させるとよい。なお、図示していないが、右側頭部材３のひれ状突出部３０の裏地に面ファスナーを設け、切込みを挟んで対向する項領域１３の表地に設けられた面ファスナーに着用者の頭部寸法に合わせて接続可能に形成されようにしてもよい。左側面については、右側面と同様であるので説明は省略する。
【００１７】
図３を参照する。図３は、本考案に係る医療用帽子１００の（ａ）は正面図、（ｂ） は背面図である。図３（ａ）に示すとおり、本体１の前端、すなわち、前頭部領域１１の端部に取手４を取り付けてもよい。取手４は、使用者が把持して引っ張ることができる部材であればよく、ループ状部材でもよいし、舌片部材を前頭部領域１１の前端に縫いつけてもよい。
【００１８】
図４を参照する。図４は、本考案に係る医療用帽子１００を使用者が装着した状態を示す図である。図４に示すとおり、本考案の医療用帽子１００は、使用者の頭部を覆うように縫製された布帛体からなる医療用帽子であって、額を含む前頭部を覆う前頭部領域１１と、後頭部を覆う後頭部領域１２と、項を覆う項領域１３を備える本体１と、それに接続される右側頭部材３とから構成され、本体１に接続された右側頭部材３は、後端にひれ状突出部３０を形成し、このひれ状突出部３０と項領域１３との間に切込みが形成されていることが理解できるであろう。このような切込みにより、頭部の大きさの異なる人に適応させることができ、安定した装着状態が得られる。
【００１９】
本考案の医療用帽子１００は、適度の断熱効果を有することから、頭皮を冷却する頭皮冷却装置のヘルメットのインナーキャップとして好適であり、インナーキャップを着用してヘルメットを装着すると、ヘルメットと頭皮との間の緩衝材となるため、使用者に快適な装着感をもたらす。
【００２０】
以上、本考案に係る医療用帽子における好ましい実施形態を図示して説明してきたが、本考案の技術的範囲を逸脱することなく種々の変更が可能であることは理解されるであろう。
【産業上の利用可能性】
【００２１】
本考案に係る医療用帽子は、頭皮冷却装置のヘルメットのインナーキャップとして用いるのみならず、抗ガン剤の副作用により患者の頭髪が失われる場合における頭部を覆う帽子として広く利用することができる。
【符号の説明】
【００２２】
１００  医療用帽子
１  本体
１１  前頭部領域
１２  後頭部領域
１３  項領域
２  左側頭部材
３  右側頭部材
２０  ３０  ひれ状突出部  
４  取手
【図１】
0003208753.tif 000003
【図２】
0003208753.tif 000004
【図３】
0003208753.tif 000005
【図４】
0003208753.tif 000006